(57)【特許請求の範囲】
【請求項１】
ドリルヘッドが昇降可能に装着されたリーダと、
ベースマシンのフロントブラケットに前後方向に配設され、かつ回動可能に枢着され、先端に前記リーダの下部が枢着されて前記リーダを前後方向に起伏可能に構成したリーダ支持シャフトと、
前記リーダ支持シャフトの正逆回動手段とを具備することを特徴とするボーリングマシンのリーダ支持装置。
【請求項２】
ドリルヘッドが昇降可能に装着されたリーダと、
ベースマシンのフロントブラケットに前後方向に配設され、かつ回動可能に枢着され、先端に前記リーダの下部が枢着されて前記リーダを前後方向に起伏可能に構成したリーダ支持シャフトと、
前記リーダの途中に先端が枢着され、前記リーダ支持シャフトに固定された第１ハブに基端が枢着され、伸縮することにより前記リーダを前後方向へ起伏する起伏用シリンダと、
前記リーダ支持シャフトに固定された第２ハブに略直角に立設されたアームの先端に一端が枢着され、前記フロントブラケットから側方へ立設されたブラケットに他端が枢着されたシャフト回動用シリンダとを具備したことを特徴とするボーリングマシンのリーダ支持装置。
【請求項３】
前記第１ハブは、前記リーダ支持シャフトに回動自在に外嵌されていることを特徴とする請求項１又は２記載のボーリングマシンのリーダ支持装置。
【請求項４】
前記リーダ支持シャフトは、第１ハブと第２ハブの間が分離してそれぞれがフロントブラケットに枢着されていることを特徴とする請求項２記載のボーリングマシンのリーダ支持装置。
【発明の詳細な説明】
【０００１】
【産業上の利用分野】
本発明は、土木用として使用され輸送時にリーダをベースマシンの上部に略水平に格納できるボーリングマシンのリーダ支持装置に関するものである。
【０００２】
【従来の技術】
従来、杭打機のリーダ支持装置として実公平５−２６１１１号が開示された。
この構造は図５，６に示すように、ベースマシン１０のフロントブラケット１２にリーダ支持フレーム１３を前後２組のブラケット１３ａ，１３ｂ及び１３ｃ，１３ｄを介してピン１４ａ，１４ｂにて杭打機１０の左右方向に回動可能に軸支し、このリーダ支持フレーム１３にリーダ１５と起伏用シリンダ１６の基端を枢着し、リーダ支持フレーム１３の側端部をフロントブラケット１２に立設した回動用シリンダ１７と連結したものであった。
【０００３】
そして、回動用シリンダ１７の伸縮により、リーダ支持フレーム１３を杭打機１０の左右方向へ回動し、従ってリーダ１５は左右方向へ傾動するようになっていた。また、起伏用シリンダ１６の伸縮によりリーダ１５は前後方向へ起伏し、起伏用シリンダ１６をいっぱい縮めることにより、輸送時にはリーダ１５をベースマシン１１の上部に略水平に倒して格納することができるようになっていた。
【０００４】
【発明が解決しようとする課題】
しかるに、前記回動用シリンダ１７はリーダ１５を左右に回動させる作用を有するだけでなく、作業中にはリーダ１５にかかる荷重をピン１４ａ，１４ｂと共に分担して支承するものであった。
【０００５】
従って、作業中は回動用シリンダ１７内の油の流れを閉止させて（例えば操作バルブを閉止する）回動用シリンダ１７を固定することが必要であるが、回動用シリンダ１７には相当な荷重がかかっているので、回動用シリンダ１７のピストンやピストンロッドのシール、またはバルブ等が摩耗し易く、従って、寿命が低下し、動作が不安定になるという欠点があった。
【０００６】
本発明は、前述した事情に鑑みてなされたものであり、リーダの下部をベースマシンのフロントブラケットの前後方向に配設されたリーダ支持シャフトの先端に枢着して支承し、このリーダ支持シャフトをフロントブラケットに取り付けられたシャフト回動用シリンダで回動させることにより、リーダを左右方向へ傾動させるものである。
【０００７】
【課題を解決するための手段】
本発明のボーリングマシンのリーダ支持装置は、ドリルヘッドが昇降可能に装着されたリーダと、
ベースマシンのフロントブラケットに前後方向に配設され、かつ回動可能に枢着され、先端に前記リーダの下部が枢着されて前記リーダを前後方向に起伏可能に構成したリーダ支持シャフトと、
前記リーダ支持シャフトの正逆回動手段とを具備することを特徴とする。
【０００８】
また、本発明のボーリングマシンのリーダ支持装置は、ドリルヘッドが昇降可能に装着されたリーダと、ベースマシンのフロントブラケットに前後方向に配設され、かつ回動可能に枢着され、先端に前記リーダの下部が枢着されて前記リーダを前後方向に起伏可能に構成したリーダ支持シャフトと、前記リーダの途中に先端が枢着され、前記リーダ支持シャフトに固定された第１ハブに基端が枢着され、伸縮することにより前記リーダを前後方向へ起伏する起伏用シリンダと、前記リーダ支持シャフトに固定された第２ハブに略直角に立設されたアームの先端に一端が枢着され、前記フロントブラケットから側方へ立設されたブラケットに他端が枢着されたシャフト回動用シリンダとを具備したことを特徴とする。
【０００９】
また、本発明のボーリングマシンのリーダ支持装置のリーダ支持シャフトに固定された第１ハブは、前記リーダ支持シャフトに回動自在に外嵌されていることを特徴とする。
【００１０】
さらに、本発明のボーリングマシンのリーダ支持装置のリーダ支持シャフトは、第１ハブと第２ハブの間が分離してそれぞれがフロントブラケットに枢着されていることを特徴とする。
【００１１】
【作用】
リーダの下部はリーダ支持シャフトの先端に枢着され、起伏用シリンダで前後方向に起伏可能となっている。
【００１２】
そして、リーダはリーダ支持シャフトを介してフロントブラケットに支承されている。
【００１３】
また、リーダ支持シャフトはリーダによる荷重を支承した状態で、シャフト回動用シリンダにより左右方向へ回動され、リーダが左右方向へ傾動する。
【００１４】
【実施例】
以下、添付図に基づいて本発明の実施例を詳細に説明する。
図１〜図４において、２５はリーダ、２２はフロントブラケットで、図２〜図４に示すように、ボーリングマシン２０はベースマシン２１の前方にフロントブラケット２２が配設され、これにドリルヘッド（図示せず）が昇降可能に取り付けられたリーダ２５が立設され、このリーダ２５は、前後方向へ起伏及び左右方向へ傾動可能に構成されている。
図１に示すように、リーダ２５はフロントブラケット２２上に前後方向に配設されて回動可能なリーダ支持シャフト２３の先端にピン２３ａを介して枢支されている。そして、リーダ支持シャフト２３の後部には第１ハブ２８が配設され、これに立設された第１ブラケット２８ａのピン２８ｂに起伏用シリンダ２６（図２〜図４）の基端が枢着され、起伏用シリンダ２６の先端は、リーダ２５の途中にピン２５ａを介して枢着されている（図２〜図４）。
【００１５】
リーダ支持シャフト２３の前部には、第２ハブ２９が配設され、これには直角にアーム２９ａが立設されている。
そして、フロントブラケット２２の側方にはブラケット２２ａが立設され、前記アーム２９ａ先端と第２ブラケット２２ａ先端の間にはピン２９ｂ，２２ｂを介してシャフト回動用シリンダ３１が取り付けられている。
【００１６】
図２は、第１の発明を説明する側面図で、第１ハブ２８はキー２８ｃでリーダ支持シャフト２３に固定されている。勿論第２ハブ２９はリーダ支持シャフト２３に図示しないキーその他の手段で固定されている。
この場合、リーダ支持シャフト２３がシャフト回動用シリンダ３１で回動させられると、リーダ２５と起伏用シリンダ２６とは共に強制的に所定の角度傾動する。
【００１７】
図３は第２の発明を説明する側面図で、第１ハブ２８はリーダ支持シャフト２３に回動自在に外嵌されており、リーダ支持シャフト２３がシャフト回動用シリンダ３１で回動させられると、リーダ２５は強制的に所定の角度傾動させられ、これに引張られて起伏用シリンダ２６も所定の角度傾動するよう構成されている。
【００１８】
図４は、第３の発明を説明する側面図で、第１ハブ２８は図３と同じくリーダ支持シャフト２３に回動自在に外嵌され、かつ、リーダ支持シャフト２３の第１ハブ２８と第２ハブ２９の間は分離されており、図３と同様に、リーダ支持シャフト２３がシャフト回動用シリンダ３１で回動させられると、リーダ２５は強制的に所定の角度傾動させられ、これに引っ張られて、起伏用シリンダ２６も所定の角度傾動する。
【００１９】
図２〜図４において、起伏用シリンダ２６を伸縮するとリーダ２５は前後に傾動し、作業上必要な垂直を保つようになる。
輸送中には、起伏用シリンダ２６をいっぱい収縮するとリーダ２５はベースマシン２１の上部に略水平に格納される。
また、リーダ２５が立設された状態で、シャフト回動用シリンダ３１を伸縮すると、リーダ２５は左右方向へ所定の角度傾動し、リーダ２５を垂直にする。
従って、起伏用シリンダ２６とシャフト回動用シリンダ３１とを作動させることにより、リーダ２５を作業に必要な垂直状態、または必要な角度に保持することができる。
【００２０】
図２〜図４ではクローラタイプのボーリングマシンを示しているが、本発明は、タイヤ走行タイプやその他走行手段を有しないボーリングマシンにも適用でき、さらに、杭打機その他のリーダを有する建設機械には総て適用できる。
【００２１】
【発明の効果】
以上詳細に説明した本発明によれば下記のような効果を奏するものである。
（１）  リーダをリーダ支持シャフトのみで支持し、シャフト回動用シリンダで回動させる構造で、従来の回動用シリンダのように回動だけでなくリーダの荷重を殆ど受けるということがないので、リーダの左右方向への傾動動作が安定する。
【００２２】
（２）  シリンダに大きな荷重が常にかかるということがないので、回動用シリンダに対する損傷が少なく、回動用シリンダのサービス寿命を延長することができる。
【図面の簡単な説明】
【図１】本発明の一実施例を示す斜視図である。
【図２】本発明の一実施例を示す、第１の発明の側面図である。
【図３】本発明の一実施例を示す、第２の発明の側面図である。
【図４】本発明の一実施例を示す、第３の発明の側面図である。
【図５】従来の杭打機のリーダ支持装置の側面図である。
【図６】従来の杭打機の側面図である。
【符号の説明】
２０    ボーリングマシン
２１    ベースマシン
２２    フロントブラケット
２２ａ    第１ブラケット
２３    リーダ支持シャフト
２５    リーダ
２６    起伏用シリンダ
２８    第１ハブ
２９    第２ハブ
２９ａ    アーム
３１    シャフト回動用シリンダ
【図１】
0003616800.tif 000002
【図２】
0003616800.tif 000003
【図３】
0003616800.tif 000004
【図４】
0003616800.tif 000005
【図５】
0003616800.tif 000006
【図６】
0003616800.tif 000007